(57)【要約】【課題】表示サイズを容易に変更することができる電気光学装置を提供する。【解決手段】本発明の電気光学装置は、一対の基板間に電気光学物質を挟持してなる複数の電気光学パネルと、少なくとも１つの前記電気光学パネルと接続された制御部とを備え、隣り合って配置された前記電気光学パネル同士が電気的に接続されるとともに、各々の前記電気光学パネルが直接又は他の前記電気光学パネルを介して前記制御部と電気的に接続されており、前記制御部は、全ての前記電気光学パネルに対して確認信号を送信し、前記確認信号を受信した各々の前記電気光学パネルから送信される応答信号を受信することで、前記電気光学パネルの個数を取得することを特徴とする。【選択図】図１
2011158703.tif 000002
【特許請求の範囲】
【請求項１】
一対の基板間に電気光学物質を挟持してなる複数の電気光学パネルと、少なくとも１つの前記電気光学パネルと接続された制御部とを備え、
隣り合って配置された前記電気光学パネル同士が電気的に接続されるとともに、各々の前記電気光学パネルが直接又は他の前記電気光学パネルを介して前記制御部と電気的に接続されており、
前記制御部は、全ての前記電気光学パネルに対して確認信号を送信し、前記確認信号を受信した各々の前記電気光学パネルから送信される応答信号を受信することで、前記電気光学パネルの個数を取得することを特徴とする電気光学装置。
【請求項２】
複数の前記電気光学パネルが行方向及び列方向に配列され、
同一の列に属する隣り合った前記電気光学パネル同士が電気的に接続されるとともに、前記列に属する各々の前記電気光学パネルが直接又は他の前記電気光学パネルを介して前記制御部と電気的に接続されており、
前記制御部は、前記列に属する前記電気光学パネルに対して列内確認信号を出力し、前記列内確認信号を受信した各々の前記電気光学パネルから出力される列内応答信号を受信することで、前記列に属する前記電気光学パネルの個数を取得することを特徴とする請求項１に記載の電気光学装置。
【請求項３】
複数の前記電気光学パネルが行方向及び列方向に配列されており、
各々の前記電気光学パネルに、当該電気光学パネルの前記制御部から出力された信号に位置情報を付与し他の前記電気光学パネルに出力する位置情報付与部が設けられていることを特徴とする請求項１又は２に記載の電気光学装置。
【請求項４】
複数の前記電気光学パネルが行方向及び列方向に配列されており、
同一の行に属する複数の前記電気光学パネルに共通の配線とされるとともに前記制御部に接続された行選択線と、同一の列に属する複数の前記電気光学パネルに共通の配線とされるとともに前記制御部に接続された列選択線と、を有することを特徴とする請求項１又は２に記載の電気光学装置。
【請求項５】
請求項１から４のいずれか１項に記載の電気光学装置を備えたことを特徴とする電子機器。
【発明の詳細な説明】
【技術分野】
【０００１】
本発明は、電気光学装置及び電子機器に関するものである。
【背景技術】
【０００２】
従来から、電気泳動表示装置（電子ペーパー）等の電気光学装置を構成するＴＦＴアレイ基板としては、ガラス基板上に半導体素子を形成したものが一般的に用いられ、フレキシブル性を有する電気光学装置を構成する場合には、プラスチック基板やステンレス基板などが用いられていた（例えば特許文献１参照）。
【先行技術文献】
【特許文献】
【０００３】
【特許文献１】特開２００７−１７８７０６号公報
【発明の概要】
【発明が解決しようとする課題】
【０００４】
ＴＦＴアレイ基板を用いた電気光学装置では、商品ごとに異なる表示サイズに対応するために基板サイズの異なる多種類の製品を用意する必要があった。そのため、製品毎に設計や生産、在庫管理を行う必要があり、少量生産品の価格を下げることが困難であった。また、表示サイズを変更する場合には、新たに設計、生産する必要があることから、発売までに長期間を要していた。
【０００５】
本発明は、上記従来技術の問題点に鑑み成されたものであって、表示サイズを容易に変更することができる電気光学装置を提供することを目的の一つとする。
【課題を解決するための手段】
【０００６】
本発明の電気光学装置は、一対の基板間に電気光学物質を挟持してなる複数の電気光学パネルと、少なくとも１つの前記電気光学パネルと接続された制御部とを備え、隣り合って配置された前記電気光学パネル同士が電気的に接続されるとともに、各々の前記電気光学パネルが直接又は他の前記電気光学パネルを介して前記制御部と電気的に接続されており、前記制御部は、全ての前記電気光学パネルに対して確認信号を送信し、前記確認信号を受信した各々の前記電気光学パネルから送信される応答信号を受信することで、前記電気光学パネルの個数を取得することを特徴とする。
【０００７】
隣り合って配置された電気光学パネル同士を電気的に接続した構成の電気光学装置において表示領域の大きさや形状を変更可能に構成するためには、個々の電気光学パネルの配設位置を固定するのではなく、枚数の増減や位置の入れ替えが許容される必要がある。その一方で、制御部が電気光学装置を構成する電気光学パネルの個数を把握していなければ、正確な画像表示動作が保証されない。そこで本発明では、上記構成を採用することで、電気光学パネルの接続数や接続位置によらず電気光学パネルの接続数を取得可能にした。これにより、本発明によれば、表示サイズを容易に変更することができる電気光学装置を提供することができる。
【０００８】
複数の前記電気光学パネルが行方向及び列方向に配列され、同一の列に属する隣り合った前記電気光学パネル同士が電気的に接続されるとともに、前記列に属する各々の前記電気光学パネルが直接又は他の前記電気光学パネルを介して前記制御部と電気的に接続されており、前記制御部は、前記列に属する前記電気光学パネルに対して列内確認信号を出力し、前記列内確認信号を受信した各々の前記電気光学パネルから出力される列内応答信号を受信することで、前記列に属する前記電気光学パネルの個数を取得することが好ましい。
この構成によれば、列方向に配列された電気光学パネルの個数を取得することができるため、行方向及び列方向にそれぞれ複数の電気光学パネルが配置されている構成において、電気光学パネルの配置形態を識別することが可能になる。
【０００９】
複数の前記電気光学パネルが行方向及び列方向に配列されており、各々の前記電気光学パネルに、当該電気光学パネルの前記制御部から出力された信号に位置情報を付与し他の前記電気光学パネルに出力する位置情報付与部が設けられていることが好ましい。
この構成によれば、各々の電気光学パネルが、位置情報付与部によって位置情報を付与した信号を中継するので、当該信号を受信した電気光学パネルは制御部からの相対位置を容易に識別することができる。これにより、制御部から特定の信号を出力するのみで任意の電気光学パネルを選択的に動作させることができる。
【００１０】
複数の前記電気光学パネルが行方向及び列方向に配列されており、同一の行に属する複数の前記電気光学パネルに共通の配線とされるとともに前記制御部に接続された行選択線と、同一の列に属する複数の前記電気光学パネルに共通の配線とされるとともに前記制御部に接続された列選択線と、を有することも好ましい。
この構成によれば、行選択線及び列選択線を介して選択信号を入力することで、任意の位置の電気光学パネルを選択的に動作させ、所望の画像を表示させることができる。
【００１１】
本発明の電子機器は、先に記載の電気光学装置を備えたことを特徴とする。
この構成によれば、表示部のサイズが異なっていても安価にかつ迅速に商品化可能な電子機器を提供することができる。
【図面の簡単な説明】
【００１２】
【図１】本発明に係る電気光学装置の一実施の形態を示す平面図。
【図２】実施形態に係る電気光学パネルの平面図。
【図３】電気光学パネルの要部の詳細を示す部分平面図。
【図４】画素の一構成例を示す図。
【図５】電気光学パネル間の接続部を拡大して示す図。
【図６】電気光学パネル間の電気的接続を示す説明図。
【図７】パネルカウント動作におけるタイミングチャート。
【図８】パネル有効化動作の説明図。
【図９】第１変形例に係る電気光学装置の概略構成を示す説明図。
【図１０】第２変形例に係る電気光学パネルの平面図。
【図１１】第２変形例に係る電気光学装置の平面図。
【図１２】電気光学パネルの具体例を示す図。
【図１３】電子機器を例示した図。
【発明を実施するための形態】
【００１３】
以下、図面を用いて本発明の電気光学装置について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１４】
図１は、本発明に係る電気光学装置の一実施の形態を示す平面図である。図２は、実施形態に係る電気光学パネルの平面図である。
図１に示す電気光学装置１００は、制御基板３０と、８枚の電気光学パネル１０ａ〜１０ｈを備えている。制御基板３０と８枚の電気光学パネル１０ａ〜１０ｈは、フレキシブル配線基板１５１〜１５４と、フレキシブル配線基板１６１〜１６３と、フレキシブル配線基板１７１〜１７４とを用いて、隣り合って配置された電気光学パネル１０ａ〜１０ｈ又は制御基板３０と接続されている。
【００１５】
制御基板３０は、電気光学パネル１０ａ〜１０ｈを駆動制御する制御部１３０と、制御部１３０と図示略の配線を介して接続された接続端子群３１とを備えている。接続端子群３１は、図１では詳細を省略しているが、制御基板３０の辺縁に沿って配列された複数の接続端子を含んで構成される。
【００１６】
電気光学パネル１０ａ〜１０ｈは、いずれも図２に示す電気光学パネル１０を用いて構成されている。
図２に示すように、電気光学パネル１０は、矩形状の素子基板１１上に、矩形状の表示部１２と、表示部１２の一辺に沿って配置されたデータ線駆動回路１３と、表示部１２の他の一辺に沿って配置された走査線駆動回路１４と、パネル制御回路１５と、第１の列方向接続端子群１１１と、第２の列方向接続端子群１１２と、第１の行方向接続端子群１１３と、第２の行方向接続端子群１１４と、を備えている。
【００１７】
なお、図１に示す電気光学パネル１０ａ〜１０ｈでは、各構成要素に、「ａ」〜「ｈ」の添字を付加した符号（表示部１２ａ〜１２ｈ、第１の列方向接続端子群１１１ａ〜１１１ｄなど）を用いた。これにより、各構成要素と電気光学パネル１０の構成要素（表示部１２、第１の列方向接続端子群１１１、第２の列方向接続端子群１１２など）との対応関係を明確にするとともに、それらが属する電気光学パネルも明確にした。
【００１８】
また本実施形態の以下の説明では、電気光学パネル１０ａ〜１０ｈに属する構成要素を明確にするために、図２に示した各構成要素の符号に添字「ａ」〜「ｈ」を付加して示す場合がある。例えば、「パネル制御回路１５ａ」は電気光学パネル１０ａに属するパネル制御回路１５を意味し、「素子基板１１ｂ」は電気光学パネル１０ｂに属する素子基板１１を意味する。
【００１９】
図２に示すように、第１の列方向接続端子群１１１は、素子基板１１の一方の長辺端部に形成され、複数の接続端子１２１を上記長辺に沿って配列してなる構成を備える。一方、第２の列方向接続端子群１１２は、第１の列方向接続端子群１１１が形成された長辺と対向する他の長辺に形成されている。第２の列方向接続端子群１１２は、複数の接続端子１２２を長辺に沿って配列してなる構成を備えている。
【００２０】
第１の行方向接続端子群１１３は、素子基板１１の一方の短辺端に形成され、複数の接続端子１２３を上記短辺に沿って配列してなる構成を備える。一方、第２の行方向接続端子群１１４は、第１の行方向接続端子群１１３が形成された上記短辺とは反対側の短辺端に形成された複数の接続端子１２４を有する。
【００２１】
本実施形態の場合、素子基板１１の長辺に設けられた第１の列方向接続端子群１１１と第２の列方向接続端子群１１２とが、短辺方向において対向するように配置されている。すなわち、図２におけるパネル制御回路１５近傍の角部１１Ａから第１の列方向接続端子群１１１までの長さと、第２の列方向接続端子群１１２近傍の角部１１Ｂから第２の列方向接続端子群１１２までの長さとがほぼ同等である。
また、素子基板１１の角部１１Ａから第１の行方向接続端子群１１３までの長さと、角部１１Ｃから第２の行方向接続端子群１１４までの長さとがほぼ同等に設定されている。
【００２２】
第１の列方向接続端子群１１１及び第２の列方向接続端子群１１２の配置、並びに第１の行方向接続端子群１１３及び第２の行方向接続端子群１１４の配置が上記のような構成とされていることで、図１に示すように、電気光学パネル１０ａ〜１０ｈを行方向及び列方向に並べて配置したときに、行方向及び列方向で隣り合う電気光学パネル１０同士の接続を行いやすくなる。
【００２３】
具体的には、電気光学パネル１０の短辺方向において隣り合う電気光学パネル１０ａ、１０ｂにおいて、電気光学パネル１０ａの第２の列方向接続端子群１１２ａと、電気光学パネル１０ｂの第１の列方向接続端子群１１１ｂとが、電気光学パネル１０ａ、１０ｂの配列方向において対向して配置されている。これにより、第２の列方向接続端子群１１２ａと第１の列方向接続端子群１１１ｂとを接続するフレキシブル配線基板１５２を、簡素な構造で長さも短いものとすることができる。
【００２４】
また、電気光学パネル１０の長辺方向において隣り合う電気光学パネル１０ａ、１０ｅにおいて、電気光学パネル１０ａの第２の行方向接続端子群１１４ａと、電気光学パネル１０ｅの第１の行方向接続端子群１１３ｅとが、電気光学パネル１０ａ、１０ｅの配列方向において対向して配置されている。これにより、第２の行方向接続端子群１１４ａと、第１の行方向接続端子群１１３ｅとを接続するフレキシブル配線基板１７１を、簡素な構造で長さも短いものとすることができる。
【００２５】
ここで図３は、電気光学パネルの要部の詳細を示す部分平面図である。
図３に示すように、電気光学パネル１０の表示部１２には、互いに交差する方向に延びる複数のデータ線１６と複数の走査線１８とが形成されており、データ線１６と走査線１８とが交差する位置に対応して画素１９が形成されている。複数のデータ線１６はデータ線駆動回路１３に接続され、複数の走査線１８は走査線駆動回路１４に接続されている。
【００２６】
データ線駆動回路１３と走査線駆動回路１４はパネル制御回路１５に接続されている。パネル制御回路１５は、第１の列方向接続端子群１１１と第２の列方向接続端子群１１２とを接続する配線１３１に接続されている。また、素子基板１１上には、第１の行方向接続端子群１１３と第２の行方向接続端子群１１４とを接続する配線１３２が形成されており、少なくとも一部の配線１３２はパネル制御回路１５に接続されている。
【００２７】
電気光学パネル１０ａのパネル制御回路１５は、第１及び第２の列方向接続端子群１１１，１１２並びに第１及び第２の行方向接続端子群１１３，１１４を介して、他の電気光学パネル１０のパネル制御回路１５や制御基板３０の制御部１３０と電気的に接続される。パネル制御回路１５は、上位装置から入力される制御信号に基づいてデータ線駆動回路１３及び走査線駆動回路１４を駆動し、表示部１２に配列された画素１９に画像データに基づく画像信号を入力することで画像表示を行う。
【００２８】
また電気光学パネル１０には、第１及び第２の列方向接続端子群１１１，１１２に属する接続端子１２１，１２２間を接続する配線１３１が形成されており、少なくとも一部の配線１３１は、パネル制御回路１５に接続されている。さらに、一部の接続端子１２１は、配線１３１Ａを介してパネル制御回路１５に直接接続され、一部の接続端子１２２は、配線１３１Ｂを介してパネル制御回路１５に直接接続されている。
【００２９】
また、第１及び第２の行方向接続端子群１１３，１１４に属する接続端子１２３，１２４間を接続する配線１３２が形成されている。少なくとも一部の配線１３２はパネル制御回路１５に接続されている。さらに、一部の接続端子１２３は配線１３２Ａを介してパネル制御回路１５に直接接続され、一部の接続端子１２４は配線１３２Ｂを介してパネル制御回路１５に直接接続されている。
【００３０】
上記の配線構造を備えていることで、本実施形態の電気光学パネル１０は、制御部１３０から出力される信号を第１の列方向接続端子群１１１を介して受け取り、受け取った上記信号を第２の列方向接続端子群１１２又は第２の行方向接続端子群１１４から出力することができる。また、第１の行方向接続端子群１１３を介して受け取った信号を、第２の行方向接続端子群１１４又は第２の列方向接続端子群１１２から出力することができる。これにより、制御基板３０の接続端子群３１から出力される信号を、電気光学パネル１０ａ等を中継して電気光学パネル１０ｂ〜１０ｈに伝達させることができる。
【００３１】
上記の信号中継動作について、以下に詳細に説明する。
まず、制御基板３０の接続端子群３１から出力された信号は、第１の列方向接続端子群１１１ａを介して電気光学パネル１０ａ（パネル制御回路１５ａ）に入力される。図３に示すように、一部の接続端子１２１は配線１３１を介して接続端子１２２に接続されているため、そのまま接続端子１２２から出力される。また、第２の行方向接続端子群１１４に属する接続端子１２４には、接続端子１２１から配線１３１又は配線１３１Ａを介してパネル制御回路１５（１５ａ）に入力された信号が、パネル制御回路１５から出力される。すなわち、パネル制御回路１５は、接続端子１２１，１２３を介して入力される信号を、接続端子１２２，１２４へ出力する中継機能を備えている。またパネル制御回路１５は、入力された信号に所定の処理（情報の付加や削除）を施した後に接続端子１２２，１２４へ出力する信号処理機能を備えている。
上記のようにして電気光学パネル１０ａの第２の列方向接続端子群１１２ａ又は第２の行方向接続端子群１１４ａから他の電気光学パネル１０ｂ、１０ｅへ信号が出力される。このように電気光学装置１００では、互いに接続された電気光学パネル１０間で制御部１３０の出力信号を受け渡すことで、制御基板３０から出力された信号を離れた位置の電気光学パネル１０ｂ〜１０ｈに伝達することができる。
【００３２】
図１に戻り、制御基板３０と電気光学パネル１０ａ〜１０ｈの接続構造について詳細に説明する。
制御基板３０の接続端子群３１と電気光学パネル１０ａの第１の列方向接続端子群１１１ａとがフレキシブル配線基板１５１を介して接続されている。電気光学パネル１０ａの第２の列方向接続端子群１１２ａと電気光学パネル１０ｂの第１の列方向接続端子群１１１ｂとがフレキシブル配線基板１５２を介して接続されている。電気光学パネル１０ｂの第２の列方向接続端子群１１２ｂと電気光学パネル１０ｃの第１の列方向接続端子群１１１ｃとがフレキシブル配線基板１５３を介して接続されている。電気光学パネル１０ｃの第２の列方向接続端子群１１２ｃと電気光学パネル１０ｄの第１の列方向接続端子群１１１ｄとがフレキシブル配線基板１５４を介して接続されている。
【００３３】
電気光学パネル１０ｅの第２の列方向接続端子群１１２ｅと電気光学パネル１０ｆの第１の列方向接続端子群１１１ｆとがフレキシブル配線基板１６１を介して接続されている。電気光学パネル１０ｆの第２の列方向接続端子群１１２ｆと電気光学パネル１０ｇの第１の列方向接続端子群１１１ｇとがフレキシブル配線基板１６２を介して接続されている。電気光学パネル１０ｇの第２の列方向接続端子群１１２ｇと電気光学パネル１０ｈの第１の列方向接続端子群１１１ｈとがフレキシブル配線基板１６３を介して接続されている。
【００３４】
電気光学パネル１０ａの第２の行方向接続端子群１１４ａと電気光学パネル１０ｅの第１の行方向接続端子群１１３ｅとがフレキシブル配線基板１７１を介して接続されている。電気光学パネル１０ｂの第２の行方向接続端子群１１４ｂと電気光学パネル１０ｆの第１の行方向接続端子群１１３ｆとがフレキシブル配線基板１７２を介して接続されている。電気光学パネル１０ｃの第２の行方向接続端子群１１４ｃと電気光学パネル１０ｇの第１の行方向接続端子群１１３ｇとがフレキシブル配線基板１７３を介して接続されている。電気光学パネル１０ｄの第２の行方向接続端子群１１４ｄと電気光学パネル１０ｈの第１の行方向接続端子群１１３ｈとがフレキシブル配線基板１７４を介して接続されている。
【００３５】
図４は、画素１９の一構成例を示す図である。図４に示す画素１９は、１Ｔ１Ｃ（１トランジスタ１キャパシタ）方式の画素回路であり、選択トランジスタＴＲｓと、キャパシタＣ１と、画素電極９と、電気光学物質層２５と、共通電極２２とを備えている。選択トランジスタＴＲｓのゲートに走査線１８が接続され、ソースにデータ線１６が接続されている。選択トランジスタＴＲｓのドレインには、キャパシタＣ１の一方の電極と画素電極９とが接続されている。画素電極９と共通電極２２との間に電気光学物質層２５が挟持されている。キャパシタＣ１の他方の電極は、走査線１８に沿って延びる容量線１７と接続されている。
【００３６】
図３に示した走査線駆動回路１４は、走査線１８を介して画素１９に選択トランジスタＴＲｓをオン状態とする選択信号を入力する。一方、データ線駆動回路１３は、上記選択信号の入力により選択トランジスタＴＲｓがオン状態とされている期間に、データ線１６に画像信号を供給する。これにより、選択トランジスタＴＲｓを介してキャパシタＣ１に画像信号が入力され、画素電極９が画像信号に応じた電位に設定される。その後、選択トランジスタＴＲｓがオフ状態に移行すると、キャパシタＣ１に蓄積されたエネルギーにより画素電極９の電位が保持され、画素電極９と共通電極２２との電位差に基づいて電気光学物質層２５が駆動される。
【００３７】
図５（ａ）は、電気光学パネル１０ａと電気光学パネル１０ｂとの接続部を拡大して示す部分平面図である。図５（ｂ）は、図５（ａ）のＡ−Ａ線に沿う位置の断面図である。なお、フレキシブル支持基板１０１の図示は省略している。
図５に示すように、電気光学パネル１０ａの第２の列方向接続端子群１１２ａと、電気光学パネル１０ｂの第１の列方向接続端子群１１１ｂとは、フレキシブル配線基板１５２を介して接続されている。フレキシブル配線基板１５２の一方の面には、接続配線１５５が第２の列方向接続端子群１１２ａ及び第１の列方向接続端子群１１１ｂに対応するピッチで配列形成されている。そして、フレキシブル配線基板１５２はＡＣＰ（異方性導電ペースト）やＡＣＦ（異方性導電フィルム）などの導電性接着材を介して第２の列方向接続端子群１１２ａ及び第１の列方向接続端子群１１１ｂに接続されている。図示のように、接続配線１５５と接続端子１２１及び接続端子１２２とは、それらの間に金属粒子や金属フィラー等の導電材６１を介在させた状態で接着され、導電材６１を介して電気的に接続されている。
【００３８】
［パネル識別動作及び有効化動作］
次に、図６から図８を参照して、本実施形態の電気光学装置１００における電気光学パネル１０ａ〜１０ｈの識別動作について説明する。
図６は、電気光学パネル１０ａ〜１０ｈ間の電気的接続を示す説明図であり、図７は、電気光学装置１００のパネルカウント動作におけるタイミングチャートである。
【００３９】
電気光学装置１００では、図１に示したように、制御基板３０は電気光学パネル１０ａにのみ接続されており、電気光学パネル１０ａ〜１０ｈは、隣り合うパネル同士をフレキシブル配線基板１５１〜１５４等を介して接続した構成である。そして、電気光学装置１００において表示領域の大きさや形状を変更可能に構成するためには、電気光学パネル１０ａ〜１０ｈは固定配置ではなく、枚数の増減や位置の入れ替えが許容される構成である必要がある。その一方で、制御部１３０が電気光学パネル１０ａ〜１０ｈの枚数と配置を識別していなければ、正常な画像表示動作は不可能である。
【００４０】
そこで本実施形態の電気光学装置１００では、制御部１３０に、電気光学装置１００を構成する電気光学パネル１０ａ〜１０ｈの枚数と配置を識別する機能が備えられている。先に図３を参照して説明したように、第１及び第２の列方向接続端子群１１１，１１２，並びに第１及び第２の行方向接続端子群１１３，１１４はいずれもパネル制御回路１５に接続されている。
【００４１】
そのため、電気光学装置１００全体で見ると、図６に示すように、電気光学パネル１０ａ〜１０ｈのパネル制御回路１５ａ〜１５ｈは、接続配線１８０を介して他のパネル制御回路１５ａ〜１５ｈに接続されており、パネル制御回路１５ａと制御部１３０とが接続されている。また、制御部１３０から電気光学パネル１０ａ〜１０ｄの配列方向（図示上下方向）に延びる接続配線１８１が、同一の列に属する４枚の電気光学パネル１０ａ〜１０ｄのパネル制御回路１５ａ〜１５ｄに接続されている。
【００４２】
図６に示す接続配線１８０は、図３に示した配線１３１Ａ、１３１Ｂ、１３２Ａ、１３２Ｂ、接続端子１２１〜１２４、及びパネル間を接続するフレキシブル配線基板１５１〜１５４、１６１〜１６３、１７１〜１７４に形成された接続配線１５５により構成される。
【００４３】
例えば、電気光学パネル１０ａのパネル制御回路１５ａと電気光学パネル１０ｅのパネル制御回路１５ｅとを接続している接続配線１８０は、電気光学パネル１０ａ上に形成された配線１３２Ｂ及び接続端子１２４と、フレキシブル配線基板１７１上に形成された接続配線１５５と、電気光学パネル１０ｅ上に形成された接続端子１２３及び配線１３２Ａとにより構成される。
【００４４】
また例えば、電気光学パネル１０ａのパネル制御回路１５ａと電気光学パネル１０ｂのパネル制御回路１５ｂとを接続している接続配線１８０は、電気光学パネル１０ａ上に形成された配線１３１Ｂ及び接続端子１２２と、フレキシブル配線基板１５２上に形成された接続配線１５５と、電気光学パネル１０ｂ上に形成された接続端子１２１及び配線１３１Ａとにより構成される。
【００４５】
一方、図６に示す接続配線１８１は、図３に示した配線１３１、接続端子１２１，１２２，及びパネル間を接続するフレキシブル配線基板１５１〜１５４に形成された接続配線１５５により構成される。
より詳しくは、電気光学パネル１０ａから電気光学パネル１０ｄまでの間の接続配線１８１は、電気光学パネル１０ａ上に形成された配線１３１及び接続端子１２１，１２２と、フレキシブル配線基板１５２上に形成された接続配線１５５と、電気光学パネル１０ｂ上に形成された接続端子１２１，１２２及び配線１３１と、フレキシブル配線基板１５３上の接続配線１５５と、電気光学パネル１０ｃ上に形成された接続端子１２１，１２２及び配線１３１と、フレキシブル配線基板１５４上の接続配線１５５と、電気光学パネル１０ｄ上に形成された接続端子１２１，１２２及び配線１３１と、により構成される。
【００４６】
図６に示す配線構造のうち、接続配線１８０により構成される回路を用いることで制御部１３０による総パネル枚数の取得が可能であり、接続配線１８１により構成される回路を用いることで制御部１３０による列内パネル枚数の取得が可能である。
【００４７】
図７（ａ）は、接続配線１８０を利用したパネル総数の取得動作を示すタイミングチャートである。図７（ａ）においてＣＬＫは制御部１３０に供給される基準クロックであり、ＣＮＴ１は制御部１３０から出力される確認信号であり、ＣＦＢ１はパネル制御回路１５ａ〜１５ｈの応答信号である。
【００４８】
パネル総数を取得する動作では、まず、図６及び図７（ａ）に示すように、制御部１３０からパネル制御回路１５ａに接続配線１８０を介して確認信号ＣＮＴ１が出力される。パネル制御回路１５ａは確認信号ＣＮＴ１を受信すると、確認信号ＣＮＴ１をパネル制御回路１５ｂ、１５ｅに送信する信号中継動作を実行する。各々の電気光学パネル１０ａ〜１０ｇにおいてこの信号中継動作が行われることで、制御部１３０から出力された確認信号ＣＮＴ１が全ての電気光学パネル１０ａ〜１０ｈに供給される。
【００４９】
そして、各々の電気光学パネル１０ａ〜１０ｈは、確認信号ＣＮＴ１の受信後，所定期間が経過した後に、接続配線１８０に応答信号ＣＦＢ１を出力する。電気光学パネル１０ａ〜１０ｈは、この応答信号ＣＦＢ１についても確認信号ＣＮＴ１と同様の中継動作を行い、制御部１３０へ伝送する。これにより、図７（ａ）に示すように、確認信号ＣＮＴ１の送出から所定期間の経過後に、電気光学パネル１０ａ〜１０ｈの枚数に対応する数の応答信号ＣＦＢ１のパルスが制御部１３０において観測される。本実施形態の場合、８枚の電気光学パネル１０ａ〜１０ｈに対応するパルス［１］〜［８］が観測され、電気光学パネル１０ａ〜１０ｈの総数を取得することができる。
【００５０】
なお、応答信号ＣＦＢ１のパルス［１］〜［８］は、電気光学パネル１０ａ〜１０ｈと制御部１３０との間の接続配線１８０の経路長に応じた時間差をもって検出される。特に、図１に示したように電気光学パネル１０の縦横比が大きく異なる場合には、接続配線１８０の経路長の差も大きくなるため、パルス［１］〜［８］を特定しやすくなる。一方、複数の電気光学パネル１０において接続配線１８０の経路長の差が小さくなり、パルス［１］〜［８］を特定しにくい場合には、クロックＣＬＫの周波数を高めればよい。これにより、パルス［１］〜［８］の検出頻度を高めることができ、パルス［１］〜［８］を検出しやすくなる。
【００５１】
次に、図７（ｂ）は、接続配線１８１を利用した列内パネル数の取得動作を示すタイミングチャートである。図７（ｂ）においてＣＬＫは制御部１３０に供給される基準クロックであり、ＣＮＴ２は制御部１３０から出力される確認信号（列内確認信号）であり、ＣＦＢ２はパネル制御回路１５ａ〜１５ｄの応答信号（列内応答信号）である。
【００５２】
列内パネル数を取得する動作では、まず、図６及び図７（ｂ）に示すように、制御部１３０からパネル制御回路１５ａに接続配線１８１を介して確認信号ＣＮＴ２が出力される。パネル制御回路１５ａは確認信号ＣＮＴ２を受信すると、確認信号ＣＮＴ２をパネル制御回路１５ｂに送信する信号中継動作を実行する。各々の電気光学パネル１０ａ〜１０ｃにおいてこの信号中継動作が行われることで、制御部１３０から出力された確認信号ＣＮＴ２が、同一の列に属する４枚の電気光学パネル１０ａ〜１０ｄに供給される。
【００５３】
そして、各々の電気光学パネル１０ａ〜１０ｄは、確認信号ＣＮＴ２の受信後，所定期間が経過した後に、応答信号ＣＦＢ２を接続配線１８１に出力する。電気光学パネル１０ａ〜１０ｄは、この応答信号ＣＦＢ２についても確認信号ＣＮＴ２と同様の中継動作を行い、制御部１３０へ伝送する。これにより、図７（ｂ）に示すように、確認信号ＣＮＴ２の送出から所定期間の経過後に、電気光学パネル１０ａ〜１０ｄの枚数に対応する数の応答信号ＣＦＢ２のパルスが制御部１３０において観測される。本実施形態の場合、同一列に属する４枚の電気光学パネル１０ａ〜１０ｄに対応するパルス［１］〜［４］が観測され、電気光学パネル１０ａ〜１０ｄの数を取得することができる。
【００５４】
接続配線１８１を用いた上記の列内パネル数の取得動作により、１列ごとのパネル数（４枚）を取得できるため、先のパネル総数（８枚）から、１行ごとのパネル数が２枚であり、電気光学パネル１０ａ〜１０ｈが２行４列に配列されていることを制御部１３０において検知することができる。
【００５５】
次に図８は、電気光学装置１００におけるパネル有効化動作の説明図である。
上記に説明したパネル識別動作により、電気光学パネル１０ａ〜１０ｈの枚数及び配置を検出することができ、電気光学パネル１０ａ〜１０ｈによって構成される表示領域（表示部１２ａ〜１２ｈ）に表示させる画像の大きさや形状を設定することが可能になる。
そして、設定された画像を表示領域に表示させるには、以下に説明するパネル有効化動作によって特定の電気光学パネル１０ａ〜１０ｈのみを選択的に動作させ、選択された電気光学パネル１０ａ〜１０ｈに画像表示動作を行わせる必要がある。
【００５６】
図８には、パネル有効化動作において、制御部１３０から出力されるイネーブル信号ＥＮと、パネル制御回路１５ａ〜１５ｆから他のパネル制御回路１５ｂ〜１５ｇに出力されるイネーブル信号ＥＮとが示されている。
パネル有効化動作では、図６に示した接続配線１８０により形成される回路が利用される。より詳しくは、制御部１３０から出力されたイネーブル信号は、接続配線１８０を介して接続されたパネル制御回路１５ａ〜１５ｈ間で中継されることで、全てのパネル制御回路１５ａ〜１５ｈに供給される。
【００５７】
まず、制御部１３０からパネル制御回路１５ａにイネーブル信号ＥＮが出力される。イネーブル信号ＥＮは、図８に示すように、少なくとも位置データＤ０と、設定データＤ１とを含んで構成される信号である。
位置データＤ０は、イネーブル信号ＥＮの現在位置を示すデータであり、イネーブル信号ＥＮを保持している電気光学パネル１０ａ〜１０ｄの制御部１３０からの相対位置を示す位置情報である。本実施形態の場合、位置データＤ０の初期値は、（０，０）である。
設定データＤ１は、有効化する電気光学パネル１０ａ〜１０ｈを特定するデータであり、有効化する電気光学パネル１０ａ〜１０ｈの制御部１３０からの相対位置を示す位置情報である。本実施形態の場合、設定データＤ１の初期値は、（１，１）である。
【００５８】
制御部１３０からイネーブル信号ＥＮを受け取ったパネル制御回路１５ａは、接続配線１８０を介して接続されたパネル制御回路１５ｂとパネル制御回路１５ｅとに対してイネーブル信号ＥＮを中継する。ただしこのとき、パネル制御回路１５ａは、内部に備えられた位置情報付与部において、イネーブル信号ＥＮの位置データＤ０を変更し、変更したイネーブル信号ＥＮをパネル制御回路１５ｂ、１５ｅに伝送する。
具体的には、パネル制御回路１５ｂに対しては、第２の列方向接続端子１１２ａから、位置データＤ０の行位置（Ｙ方向位置）を１増やしたイネーブル信号ＥＮ（Ｄ０：（０，１））を出力する。一方、パネル制御回路１５ｅに対しては、第２の行方向接続端子１１４ａから、位置データＤ０の列位置（Ｘ方向位置）を１増やしたイネーブル信号ＥＮ（Ｄ０：（１，０））を出力する。設定データＤ１は変更しない。
【００５９】
なお、本実施形態の場合、イネーブル信号ＥＮは制御基板３０から遠ざかる側へのみ伝達される。すなわち、各々の電気光学パネル１０において、イネーブル信号ＥＮは第１の列方向接続端子群１１１又は第１の行方向接続端子群１１３を介してパネル制御回路１５に入力され、所定の位置情報を付与された後、第２の列方向接続端子群１１２及び第２の行方向接続端子群１１４を介して他の電気光学パネル１０に出力される。
ただし、イネーブル信号ＥＮの伝達形態は上記に限られるものではなく、制御基板３０と電気光学パネル１０ａ〜１０ｈとの接続形態に応じて種々に変更を加えることが可能である。例えば、第２の列方向接続端子群１１２又は第２の行方向接続端子群１１４を介して入力されたイネーブル信号ＥＮを、所定の位置情報を付与した後で第１の列方向接続端子群１１１及び第２の行方向接続端子１１３群に出力する構成としてもよい。
【００６０】
イネーブル信号ＥＮを受信したパネル制御回路１５ｂは、上記と同様の動作により、パネル制御回路１５ｃ、１５ｆに対してイネーブル信号ＥＮを中継する。また、図示は省略しているが、パネル制御回路１５ｅも、パネル制御回路１５ｆに対してイネーブル信号ＥＮを中継する。これにより、パネル制御回路１５ｃにイネーブル信号ＥＮ（Ｄ０：（０，２））が供給され、パネル制御回路１５ｆにイネーブル信号ＥＮ（Ｄ０：（１，１））が供給される。
【００６１】
さらに、パネル制御回路１５ｃは、パネル制御回路１５ｄ、１５ｇに対してイネーブル信号ＥＮを中継し、パネル制御回路１５ｆは、パネル制御回路１５ｇに対してイネーブル信号ＥＮを中継する。これにより、パネル制御回路１５ｄにイネーブル信号ＥＮ（Ｄ０：（０，３））が供給され、パネル制御回路１５ｇにイネーブル信号ＥＮ（Ｄ０：（１，２））が供給される。最後に、パネル制御回路１５ｄ、１５ｇが、パネル制御回路１５ｈに対してイネーブル信号ＥＮを中継することで、パネル制御回路１５ｈにイネーブル信号ＥＮ（Ｄ０：（１，３））が供給される。
【００６２】
以上の動作により、電気光学パネル１０ａ〜１０ｈのパネル制御回路１５ａ〜１５ｈに対して、パネル位置を反映した位置データＤ０を含むイネーブル信号ＥＮが入力される。本実施形態の場合、各々のパネル制御回路１５ａ〜１５ｈは、入力されたイネーブル信号ＥＮの位置データＤ０と設定データＤ１を比較する。そして、位置データＤ０と設定データＤ１とが一致している場合にのみ電気光学パネル１０ａ〜１０ｈが有効化され、表示部１２ａ〜１２ｈへの画像表示が行われる。
【００６３】
図８に示した例では、電気光学パネル１０ｆに入力されるイネーブル信号ＥＮにおいて位置データＤ０（１，１）と設定データＤ１（１，１）が一致しており、かかる電気光学パネル１０ｆが有効化される。すなわち、制御部１３０から出力される制御信号や画像信号は、電気光学パネル１０ｆに対してのみ有効であり、他の電気光学パネル１０ａ〜１０ｅ、１０ｇ、１０ｈは上記制御信号や画像信号を受け付けない。これにより、電気光学パネル１０ｆに所望の画像を表示させることができる。
【００６４】
以上、詳細に説明したように、電気光学装置１００では、複数の電気光学パネル１０ａ〜１０ｈを平面的に配列するとともに相互に接続し、電気光学パネル１０ａに対して接続された制御基板３０（制御部１３０）を備えている。そして、制御部１３０に電気光学装置１００を構成する電気光学パネル１０の数をカウントする機能を備えていることで、電気光学パネル１０を自在に増減させることができるものとされている。したがって上記実施形態の電気光学装置１００（１００Ａ）によれば、表示サイズを容易に変更することができる。
【００６５】
したがって、本実施形態の電気光学装置１００によれば、製品毎に素子基板１１を設計する必要が無く、１種類のみを設計、生産すればよくなる。これにより、設計費のコスト削減や生産効率の向上を達成することができ、製品のコストを低減することができる。また、使用サイズによって表示領域の大きさを自由に変えることができるため、顧客ニーズへの迅速な対応が可能であるという利点も得られる。
【００６６】
［第１変形例］
図９は第１変形例に係る電気光学装置１００Ａの概略構成を示す説明図である。図９に示す配線構造を備えた電気光学装置１００Ａの場合には、より直接的にパネル有効化動作を実行することができる。
【００６７】
図９に示す電気光学装置１００Ａは、８枚の電気光学パネル１０ａ〜１０ｈと、制御部１３０とを備えている点では先の実施形態の電気光学装置１００と共通である。そして本例の場合には、マトリクス状に配列された電気光学パネル１０ａ〜１０ｈの各々のパネル制御回路１５ａ〜１５ｈに対して、制御部１３０から延びる行選択線１８２及び列選択線１８３が接続されている。行選択線１８２及び列選択線１８３の一部は、電気光学パネル１０上の配線１３１や配線１３２を用いて形成されていてもよい。
【００６８】
上記構成を備えた変形例に係る電気光学装置１００Ａにおいて、制御部１３０は、行選択線１８２と列選択線１８３とを組み合わせて選択することで、電気光学パネル１０ａ〜１０ｈを選択的に有効化させる。例えば、制御部１３０から、２行目に対応する行選択線１８２（ＥＮＢＸ２）に選択信号（イネーブル信号）を供給するとともに、１列目に対応する列選択線１８３（ＥＮＢＹ１）に選択信号（イネーブル信号）を供給することで、これらの行選択線ＥＮＢＸ２と列選択線ＥＮＢＹ１とに接続された電気光学パネル１０ｂが選択的に有効化することができる。その後、有効化した電気光学パネル１０ｂに対して制御信号や画像信号を供給することで、所望の電気光学パネル１０ｂに対して所望の画像を表示させることができる。
なお、本例の電気光学装置１００Ａにおいても、電気光学パネル１０の画像表示動作に用いられる制御信号や画像信号は、全ての電気光学パネル１０ａ〜１０ｈに接続された共通配線を介して供給すればよい。
【００６９】
以上に説明した変形例に係る電気光学装置１００Ａでは、制御部１３０と個々の電気光学パネル１０ａ〜１０ｈとを電気的に接続する必要があるため、先の実施形態の電気光学装置１００と比較すると、制御部１３０と電気光学パネル１０ａ〜１０ｈとを接続する配線数が増えてしまう。しかしながら、行選択線１８２と列選択線１８３は、パネル枚数のカウントにも用いることができ、しかも行方向のパネル枚数と列方向のパネル枚数とをそれぞれ取得することができるため、先の実施形態と比較しても簡便かつ正確な電気光学パネル１０の枚数と配置の識別が可能である。
【００７０】
［第２変形例］
図１０は、第２変形例に係る電気光学パネル１０Ａ、１０Ｂの平面図である。
図１０（ａ）に示す電気光学パネル１０Ａは、図２に示した電気光学パネル１０から第１の行方向接続端子群１１３と第２の行方向接続端子群１１４とを省略したものである。
図１０（ｂ）に示す電気光学パネル１０Ｂは、図２に示した電気光学パネル１０から第１の列方向接続端子群１１１と第２の列方向接続端子群１１２とを省略したものである。
【００７１】
図１１は、電気光学パネル１０Ａを用いた電気光学装置１００Ｂの平面図及び側面図である。
電気光学装置１００Ｂでは、いずれも電気光学パネル１０Ａからなる電気光学パネル１０ａ、電気光学パネル１０ｂ、及び電気光学パネル１０ｃを、電気光学パネル１０Ａの短辺方向（図示Ｙ方向）に沿って配列した構成である。
【００７２】
電気光学装置１００Ｂにおいて、制御基板３０の接続端子群３１と、電気光学パネル１０ａの第１の列方向接続端子群１１１ａとが、フレキシブル配線基板１５１を介して接続されている。
電気光学パネル１０ａの第２の列方向接続端子群１１２ａと、電気光学パネル１０ｂの第１の列方向接続端子群１１１ｂとが、フレキシブル配線基板１５２を介して接続されている。
電気光学パネル１０ｂの第２の列方向接続端子群１１２ｂと、電気光学パネル１０ｃの第１の列方向接続端子群１１１ｃとが、フレキシブル配線基板１５３を介して接続されている。
【００７３】
図１１に示すように、電気光学パネル１０ａ〜１０ｃが一方向にのみ連設される構成の電気光学装置１００Ｂでは、電気光学パネル１０ａ〜１０ｃ同士の接続形態も一方向（Ｙ方向）に限定されるため、列方向の接続端子のみを備えた電気光学パネル１０Ａを用いて構成することができる。
同様に、電気光学パネル１０ｂも、電気光学パネル１０ｂをパネル長辺方向（図示Ｘ方向）に配列する場合に好適に用いることができる。
【００７４】
なお、図１１に示した電気光学装置１００Ｂにおいても、制御部１３０には電気光学パネル１０ａ〜１０ｃの接続数を取得する機能が備えられるが、図示のように電気光学パネル１０ａ〜１０ｃが一方向にのみ配列されている場合には、図６に示した接続配線１８１を用いる列内パネル数の取得機能は不要である。
【００７５】
（電気光学パネルの具体例）
次に、本発明に係る電気光学パネル１０の複数の具体的構成例について、図１２を参照しつつ説明する。なお、変形例に係る電気光学パネル１０Ａ、１０Ｂは、接続端子群の構成が異なるのみであるから、以下に説明する各構成を当然に採用することができる。
【００７６】
＜電気泳動表示パネル＞
図１２（ａ）は、本発明の電気光学パネルの一例である電気泳動表示パネルを示す断面図である。
電気泳動表示パネルＥＰＤは、素子基板１１と対向基板２０との間に、電気泳動素子３５（電気光学物質層２５）を挟持してなる構成を備えている。
【００７７】
素子基板１１は、ガラスやプラスチックからなる基板本体Ｐと、基板本体Ｐ上に配列形成された画素電極９とを有する。図示は省略したが、基板本体Ｐ上には画素電極９に接続された選択トランジスタＴＲｓやキャパシタＣ１が形成されている。さらに本実施形態の場合、データ線駆動回路１３や走査線駆動回路１４、パネル制御回路１５、第１の列方向接続端子群１１１、第２の列方向接続端子群１１２等も基板本体Ｐ上に形成されている。
【００７８】
対向基板２０は、ガラスやプラスチックからなる透明基板２１と、透明基板２１上に形成されたＩＴＯ等の透明導電膜からなる共通電極２２とを備えている。電気泳動素子３５は、共通電極２２上に平面的に配列された複数のマイクロカプセル２６と、マイクロカプセル２６を共通電極２２上に固着させるバインダー３６とを有する。マイクロカプセル２６は、球状の壁膜の内部に、例えば白色粒子と黒色粒子と分散媒とを封入した構成である。そして、電気泳動素子３５と素子基板１１とが、接着剤層３７を介して接着されている。
【００７９】
なお、電気泳動素子３５は、あらかじめ対向基板２０側に形成され、接着剤層３７までを含めた電気泳動シートとして取り扱われるのが一般的である。製造工程において、電気泳動シートは接着剤層３７の表面に保護用の剥離シートが貼り付けられた状態で取り扱われる。そして、別途製造された素子基板１１に対して、剥離シートを剥がした当該電気泳動シートを貼り付けることによって、表示部を形成する。このため、接着剤層３７は電気泳動素子３５の画素電極９側のみに存在することになる。
【００８０】
＜有機ＥＬ（エレクトロルミネッセンス）パネル＞
図１２（ｂ）は、本発明の電気光学パネルの一例である有機ＥＬパネルを示す断面図である。
有機ＥＬパネルＯＬＥＤは、素子基板１１上に、画素電極９毎に領域を区画する隔壁４６と、隔壁４６に囲まれた画素電極９上の領域に形成された有機機能層４７（電気光学物質層２５）と、有機機能層４７及び隔壁４６を覆って形成された共通電極４８と、接着剤層４９と、封止基板５０と、を備えている。
【００８１】
隔壁４６は無機絶縁膜又は有機絶縁膜、あるいはこれらを積層した絶縁膜からなり、画素電極９上に形成される有機機能層４７同士を区画する機能を奏する。有機絶縁膜としては、例えば光硬化性のアクリル樹脂やポリイミド樹脂等を用いることができ、無機絶縁膜としてはシリコン酸化物、シリコン窒化物等を用いることができる。
【００８２】
有機機能層４７は、少なくとも有機発光層を含んでおり、典型的には、画素電極９側から順に、正孔注入層と、有機発光層とを積層した構成である。正孔注入層には、例えばＰＥＤＯＴ／ＰＳＳなどの導電性高分子材料を用いることができる。有機発光層は、その形成材料の違いにより、それぞれ赤色光、緑色光、青色光を射出可能に構成され、赤、緑、青の３色の光によりフルカラー表示の１画素が構成される。
正孔注入層と有機発光層との間にさらに正孔輸送層を形成してもよい。あるいは、白色の有機発光層とカラーフィルターとによりカラー表示する方式であってもよい。
【００８３】
共通電極４８は、複数の有機機能層４７上にわたって形成されており、例えば陰極層と共振層とを積層した構成である。
陰極層は仕事関数の低い（例えば５ｅＶ以下）材料を用いて形成され、例えばカルシウムやマグネシウム、ナトリウム、ストロンチウム、バリウム、リチウム、あるいはこれらの化合物であるフッ化カルシウム等の金属フッ化物や酸化リチウム等の金属酸化物、アセチルアセトナトカルシウム等の有機金属錯体等を用いることができる。
共振層は金属材料からなる層であり、例えばマグネシウム銀の共蒸着膜を用いることができる。マグネシウムと銀との共蒸着比率は例えば体積比で１０：１である。共振層は、有機機能層４７から発せられた光の一部を反射し一部を透過する半透過膜である。共振層は、素子基板１１上に形成された光反射性の画素電極９との間で光を共振させる光共振構造を構成し、画素電極９の光反射面と共振層との間の光学的距離に対応した共振条件を満たす光のみが増幅されて取り出される。
【００８４】
接着剤層４９は、例えばエポキシ樹脂等の透明樹脂からなり、ガラスやプラスチックからなる透明基板である封止基板５０を素子基板１１に固着させるとともに、有機機能層４７への水分等の侵入を防止する機能を奏する。なお、共通電極４８と接着剤層４９との間に、シリコン酸化物やシリコン窒化物、シリコン酸化窒化物からなる無機絶縁膜を形成してもよい。
【００８５】
＜液晶パネル＞
図１２（ｃ）は、本発明の電気光学パネルの一例である液晶パネルを示す断面図である。
液晶パネルＬＣＤは、素子基板１１と、対向基板４０との間に、液晶層５５（電気光学物質層２５）を挟持した構成を備えている。
対向基板４０は、ガラスやプラスチック等からなる透明基板５１と、透明基板５１の液晶層５５側に順に形成された共通電極５２及び配向膜５３とを有する。また、素子基板１１の画素電極９上にも配向膜５４が形成されている。
【００８６】
液晶装置の構成としては、公知のアクティブマトリクス型液晶装置の任意の構成が適用できる。例えば、液晶の配向形態としてはＴＮ型、ＶＡＮ型、ＳＴＮ型、強誘電型、反強誘電型等の種々の公知の形態が採用できる。また、素子基板１１及び対向基板４０のいずれかにカラーフィルタを配置してカラー表示パネルとしてもよい。さらに、素子基板１１上に反射膜を形成して反射型の液晶装置を構成してもよく、この反射膜に開口部やスリット等の透光部を形成して、半透過反射型の液晶装置を構成してもよい。
【００８７】
（電子機器）
次に、上記実施の形態の電気光学装置を備えた電子機器について説明する。
図１３（ａ）は、携帯電話の一例を示した斜視図である。図１３（ａ）において、符号１０００は携帯電話本体を示し、符号１００１は上記実施形態の電気光学装置を用いた表示部を示している。
【００８８】
図１３（ｂ）は、腕時計型電子機器の一例を示した斜視図である。図１３（ｂ）において、符号１１００は時計本体を示し、符号１１０１は上記実施形態の電気光学装置を用いた表示部を示している。
【００８９】
図１３（ｃ）は、ワープロ、パソコンなどの情報処理装置の一例を示した図である。図１３（ｂ）において、符号１２００は情報処理装置、符号１２０２はキーボードなどの入力部、符号１２０４は情報処理装置本体、符号１２０６は上記実施形態の電気光学装置を用いた表示部を示している。
【００９０】
図１３に示す電子機器では、表示サイズが互いに異なる表示部を備えて構成されているが、上述の本発明の電気光学装置を適用することで、１種類の電気光学パネル１０を用いていずれの表示部も構成することができる。よって、これらの電子機器を安価にかつ迅速に提供することが可能となる。
【符号の説明】
【００９１】
１００，１００Ａ，１００Ｂ  電気光学装置、１０，１０Ａ，１０Ｂ  電気光学パネル、１５  パネル制御回路（位置情報付与部）、１３０  制御部、１８２  行選択線、１８３  列選択線、ＣＮＴ１  確認信号、ＣＮＴ２  列内確認信号、ＣＦＢ１  応答信号、ＣＦＢ２  列内応答信号
【図１】
2011158703.tif 000003
【図２】
2011158703.tif 000004
【図３】
2011158703.tif 000005
【図４】
2011158703.tif 000006
【図５】
2011158703.tif 000007
【図６】
2011158703.tif 000008
【図７】
2011158703.tif 000009
【図８】
2011158703.tif 000010
【図９】
2011158703.tif 000011
【図１０】
2011158703.tif 000012
【図１１】
2011158703.tif 000013
【図１２】
2011158703.tif 000014
【図１３】
2011158703.tif 000015